(57)【要約】【課題】表層ケーシングが鉛直方向に対し正確に、かつ、杭芯の位置決めが簡単で確実な表層ケーシングの建て込み装置を提供する。【解決手段】４本のＨ鋼４をクレーンによって吊り下げ、６枚の養生敷鉄板３の上に正方形状に挟締金具により固定する。各Ｈ鋼の間は、相互に挟締金具により固定する。各Ｈ鋼の上面の中央に建て込み器具５のプレートをボルトにより固定する。（Ｃ）に示されるように、円筒形の表層ケーシング７をクレーンによりロープ８で吊り下げて、掘削孔２の入り口まで持ち来たす。トランシット又はレベル９により表層ケーシングの水平性と４つの建て込み器具の水平性を測定する。両水平性を維持した状態で、各建て込み器具のローラーの位置を微調整しながら、各ローラーが表層ケーシングの外側を押圧するように、表層ケーシングを（Ｄ）に示される位置までセットする。【選択図】図１
2010174585.tif 000002
【特許請求の範囲】
【請求項１】
円筒形の表層ケーシングの外側を囲むように４個の支持枠部材を正方形状に、かつ、水平性を保持するように組み立て、前記各支持枠部材の中央に建て込み器具を設置し、前記各建て込み器具は前記表層ケーシングの外側に接触する押圧部材を有し、前記各押圧部材は前記表層ケーシングの外側に対して遠近調節可能であり、前記表層ケーシングは鉛直性を維持しながら掘削孔に建て込まれることを特徴とする現場打ち杭で使用する表層ケーシングの建て込み装置。
【請求項２】
前記各押圧部材はローラーであることを特徴とする請求項１記載の現場打ち杭で使用する表層ケーシングの建て込み装置。
【発明の詳細な説明】
【技術分野】
【０００１】
本発明は、表層ケーシングが鉛直方向に対し正確に、かつ、杭芯の位置決めが簡単で確実にセットできる現場打ち杭で使用する表層ケーシングを建て込む装置に関する。
【背景技術】
【０００２】
従来の表層ケーシングを建て込む方法について図３に参照して説明する。
【０００３】
まず、図３（Ａ）は、仮杭による杭施工位置の明示方法を示す平面図である。
【０００４】
地層に杭心を示す仮杭３１を埋め、掘削前に仮杭３１を中心として左右上下方向の一定距離に４箇所の逃げ芯３２を設ける。この状態で、表層ケーシング３３を仮杭３１が中心になるように建て込む。
【０００５】
次に、図３（Ｂ）は、アースドリル工法において仮杭にケリーバの先端の中心を合わせる方法を示す断面図である。
【０００６】
地層４１に杭芯を示す仮杭４２を埋め、仮杭４２の上端にリボン４３が取り付けられている。仮杭４２にケリーバ４４の先端の中心を合わせる。
【先行技術文献】
【非特許文献】
【０００７】
【非特許文献１】社団法人日本基礎建設協会編「場所打ちコンクリート拡底杭の監理上の留意点」平成１２年７月発行、第II−１９頁４．杭芯の確認
【発明の概要】
【発明が解決しようとする課題】
【０００８】
従来の表層ケーシングを建て込む方法では、表層ケーシングの位置が４箇所の逃げ芯３２の中心に配置されることを確認するか、ケリーバの先端の中心を仮杭にセットするかのいずれかを採用する。しかし、いずれも単純な目視であるため、表層ケーシングを建て込むとき、表層ケーシングが鉛直方向に対して傾斜したり、杭芯がずれるケースが多い。
【０００９】
そこで、本発明は、従来の技術の欠点を改善し、表層ケーシングが鉛直方向に対し正確に、かつ、杭芯の位置決めが簡単で確実な表層ケーシングの建て込み装置を提供しようとするものである。
【課題を解決するための手段】
【００１０】
本発明は、前記課題を解決するため、次の手段を採用する。なお、本発明の構成の次に実施例の部材・部位を記載する。
【００１１】
１．円筒形の表層ケーシング７の外側を囲むように４個の支持枠部材４を正方形状に、かつ、水平性を保持するように組み立て、前記各支持枠部材４の中央に建て込み器具５を設置し、前記各建て込み器具５は前記表層ケーシング７の外側に接触する押圧部材５ｉを有し、前記各押圧部材５ｉは前記表層ケーシング７の外側に対して遠近調節可能であり、前記表層ケーシング７は鉛直性を維持しながら掘削孔２に建て込まれることを特徴とする現場打ち杭で使用する表層ケーシングの建て込み装置。
【００１２】
２．前記各押圧部材５ｉはローラーである前記１記載の現場打ち杭で使用する表層ケーシングの建て込み装置。
【発明の効果】
【００１３】
明細書の説明から明らかなように、本発明によれば、次の効果を奏する。
【００１４】
１．表層ケーシングを４方向から自在に動かし正確に建て込むことができる。
【００１５】
２．表層ケーシングを掘削孔に４方向から正確に維持して建て込めるため、鉛直性が保たれる。
【００１６】
３．建て込み器具を使用するので、作業性が、迅速で、しかも、正確である。
【００１７】
４．表層ケーシングを押圧する部材としてローラーを採用するので、スムーズに操作することができる。
【図面の簡単な説明】
【００１８】
【図１】本発明の一実施例の現場打ち杭で使用する表層ケーシングの建て込み装置の諸図であり、（Ａ）は同装置の準備段階の平面図、（Ｂ）は同装置の建て込み器具のセット後の要部の拡大平面図、（Ｃ）は同装置の建て込み前の断面図、（Ｄ）は同装置の建て込み後の断面図を、それぞれ示す。
【図２】Ｈ鋼にボルトにより取り付けられた同建て込み器具によって同表層ケーシングを掘削孔に対して鉛直性を４方向から維持する機構の諸図であり、（Ａ）は前面図、（Ｂ）は前後方向の同機構の一方の平面図、（Ｃ）は左右方向の同機構の一方の平面図、（Ｄ）は（Ｃ）の側面方向から見た断面図を、それぞれ示す。
【図３】従来の表層ケーシングを建て込む方法の諸図であり、（Ａ）は仮杭による杭施工位置の明示方法を示す平面図、（Ｂ）はアースドリル工法において仮杭にケリーバの先端の中心を合わせる方法を示す断面図である。
【発明を実施するための形態】
【００１９】
以下に、本発明の現場打ち杭で使用する表層ケーシングの建て込み装置の実施の形態について、詳細に説明する。
【実施例１】
【００２０】
本発明の実施例１に係る現場打ち杭で使用する表層ケーシングの建て込み装置について、図１と図２を参照して説明する。本発明については、従来の技術と同様な点の説明を省略し、相違する点の説明を行う。
【００２１】
図１（Ｃ）に示されるように、地表１に垂直に断面が円形の掘削孔２を掘削する。図１（Ａ）に示されるように、掘削孔２の入り口の周囲の地表１に６枚の長方形の養生敷鉄板３を敷設する。
【００２２】
４本のＨ鋼４（図２参照）をクレーン（図示せず）によって吊り下げ、６枚の養生敷鉄板３の上に正方形状に挟締金具（図示せず）により固定する。各Ｈ鋼４の間は、相互に挟締金具により固定する。各Ｈ鋼４の上面の中央に建て込み器具５のプレート５ａを図２に示されるように４本のボルト６により固定する。
【００２３】
各Ｈ鋼４は、堅牢で、構造が簡素で、安価であるため、支持枠部材として好適である。
【００２４】
図１（Ｃ）に示されるように、円筒形の表層ケーシング７をクレーンによりロープ８で吊り下げて、掘削孔２の入り口まで持ち来たす。
【００２５】
建て込み器具５の詳細を、図２を参照して説明する。調節ねじ５ｂは、プレート５ａに固定されている第１支持部材５ｃと第２支持部材５ｄにより支持され、ハンドル５ｅの回転により矢印方向に移動することができる。一対のガイド部材５ｆは、プレート５ａに固定され、一対のスライド部材５ｇをプレート５ａ上でガイドする。連結部材５ｈは、調節ねじ５ｂに固定され、一対のスライド部材５ｇの間に固定されている。ローラー５ｉは、一対のスライド部材５ｇに回転可能に支持されている。
【００２６】
トランシット又はレベル９により表層ケーシング７の水平性と４つの建て込み器具５の水平性を測定する。両水平性を維持した状態で、各建て込み器具５のローラー５ｉの位置を微調整しながら、各ローラー５ｉが表層ケーシング７の外側に接触するように、表層ケーシング７を図１（Ｄ）に示される位置までセットする。
【００２７】
一例として、表層ケーシング７の高さＬを４ｍと設定する。図１（Ｄ）に示されるように、表層ケーシング７の上端からＬ１＝５００ｍｍ程度離れた箇所の円筒外面における４箇所にケーシング埋設防止金具７ａを固定する。
【００２８】
図１（Ｃ）に示される表層ケーシング７の建て込み前の状態においては、表層ケーシング７は、ワイヤ８を介してクレーン（図示せず）により吊り下げられている。
【００２９】
表層ケーシング７の建て込みの操作に際しては、建て込み器具５の各ローラー５ｉを４方向からそれぞれ微調節して、表層ケーシング７の鉛直性を維持しながら掘削孔２内に降下させる。目標値は、水平方向（杭芯と表層ケーシングの中心とのずれ）３０ｍｍ以内、鉛直方向１／２００以下とする。
【００３０】
図１（Ｄ）に示される表層ケーシング７の建て込み完了後の状態においては、トランシット又はレベル９により表層ケーシング７の天端を確認する。また、鉄筋の建て込み後、鉄筋の天端を確認する。更に、コンクリート打設後、鉄筋の天端を確認する。
【００３１】
続いて、各建て込み器具５と各Ｈ鋼４をクレーンにより吊り上げ、次の杭の位置に再びセットする。以後、同様の作業を繰り返す。
【産業上の利用可能性】
【００３２】
本発明は、現場打ち杭で使用する表層ケーシングを建て込む装置であり、表層ケーシングが鉛直方向に対し正確に、かつ、杭芯の位置決めが簡単で確実な表層ケーシングの建て込み装置を提供するので、産業上有効に利用することができる。
【符号の説明】
【００３３】
１    地表
２    掘削孔
３    養生敷鉄板
４    Ｈ鋼
５    建て込み器具
５ａ  プレート
５ｂ  調節ねじ
５ｃ  第１支持部材
５ｄ  第２支持部材
５ｅ  ハンドル
５ｆ  ガイド部材
５ｇ  スライド部材
５ｈ  連結部材
５ｉ  ローラー
６    ボルト
７    表層ケーシング
７ａ  ケーシング埋設防止金具
８    ワイヤ
９    トランシット、レベル
【図１】
2010174585.tif 000003
【図２】
2010174585.tif 000004
【図３】
2010174585.tif 000005